(57)【特許請求の範囲】
【請求項１】
フレーム；  前記フレームに軸設されたスプール；  前記スプールの回転のためにフレームの一側に軸設されたハンドルシャフトを有するハンドル；及び  スプールシャフトの回転速度を調節してキャスティング距離を調節するようにフレームの一側に配設されたテンションナット；を含んでなった釣り用リールであって、  前記ハンドルシャフトは、  端部に設けられた第１雄ネジ部、前記第１雄ネジ部と重畳するように形成された空回り防止第１フラット部、及び第１フラット部の下端部のストッパーを有し、 前記ハンドルは、  第１フラット部によって空回り防止用非円形構造を有する第１雄ネジ部に嵌め合わせられてストッパーに装着される結合孔を有するハンドルアームと、  前記ハンドルアームの端部に設けられたハンドルノブと、  前記ハンドルシャフトの第１フラット部に配設され、第１雄ネジ部と相補する補助雄ネジ部を有する緩み止め用プラグと、  第１雄ネジ部と補助雄ネジ部が成す組立雄ネジ部に結合され、ストッパーにかかったハンドルアームを固定するハンドルナットとをさらに含んで緩み止め型補強ハンドルを構成することを特徴とする釣り用リール。
【請求項２】
前記ハンドルシャフトの第１フラット部は端部の両側に対称状に形成されて横断面がアルファベット「Ｕ」形のカット形状を有し、  前記プラグは、補助雄ネジ部がそれぞれ形成された両側ピラー部と、前記ピラー部を連結するブリッジとを含んでなることを特徴とする、請求項１に記載の釣り用リール。
【請求項３】
前記プラグと前記ハンドルシャフトの間には定位置結合手段が介在され、  前記定位置結合手段はハンドルシャフトの長手方向に形成された第１雌雄結合部材である、またはこの長手方向と交差する方向に形成された第２雌雄結合部材であることを特徴とする請求項１に記載の釣り用リール。
【請求項４】
第１雌雄結合部材は、ハンドルシャフトの上端に突設された雄部材と、プラグのブリッジに形成された通孔形の雌部材とを含んでなり、ブリッジが雌部材を通じて雄部材に嵌め合わせられた後、ハンドルナットが組立雄ネジ部に締結されることを特徴とする請求項３に記載の釣り用リール。
【発明の詳細な説明】
【技術分野】
【０００１】
本発明は、緩み止め型補強ハンドルを備えた釣り用リールに係る。より詳しくは、ハンドルアームの空回り防止結合のためにＵ形カットのようなサイドカットなどの方式で形成された空回り防止フラット部を端部に有する既存のハンドルシャフトの場合、ハンドルナットを締結して固定してもハンドルシャフトのフラット部とハンドルナットの間の遊び隙間によって、釣り糸の巻取りなどの状況でハンドルアームに負荷が加わるときにハンドルナットが緩むかあるいはハンドルシャフトが破損される問題が発生することを解決するために、ハンドルシャフトの第１フラット部に配設され、端部の第１雄ネジ部と相補する補助雄ネジ部を有する緩み止め用プラグを導入した緩み止め型補強ハンドルを備えた釣り用リールに関する。
【背景技術】
【０００２】
既存の釣り用リールのハンドルシャフトを含むハンドルの構造は本発明の出願人による韓国特許公開第１０−２０１５−００８９６２３号公報（特許文献１：２０１５年０８月０５日公開）［ドラッグアセンブリーを備えた釣り用リール］の図１から確認することができ、これはプラグＨＰを除けば本出願の図２の構造と大同小異である。本発明の釣り用リールのハンドルにおいてハンドルシャフトとハンドルナットの補完及び補強締結構造と類似した技術としては、通常のボルト及びナットの緩み止め構造を例として挙げることができる。
【０００３】
このような従来の緩み止め構造に係わる文献としては、韓国特許公開第１０−２０１５−０１３５９９０号公報（特許文献２：２０１５年１２月０４日公開）［緩み止め用ボルト組立体］がある。この公開特許は加工が容易で、長期間にわたって安定的な緩み止め効果を奏し得る緩み止め用ボルト組立体を提供する。これは、ナットの結合孔に挿入されてからボルトに係合されることで、前記ボルトと前記ナットの結合状態を維持する緩み止めネジ部を含み、前記ボルトには軸方向に沿って一定の深みだけ陷沒した楔係止溝が形成され、前記緩み止めネジ部は下部が前記楔係止溝の形状に対応するように形成され、前記結合孔に挿入されてから前記楔係止溝に係止される楔をさらに含む。
【０００４】
また、韓国実用新案公開第２０−２０１４−０００６２０８号公報（特許文献３：２０１４年１２月１０日公開）［緩み止めナットセット］がある。この公開考案は弾性部材を用いて緩み止め特性を向上させた緩み止めナットで、低い費用で簡単に製造することができる構造を開示している。
【０００５】
また、韓国特許公開第１０−２０１５−０１１５４１１号公報（特許文献４：２０１５年１０月１４日公開）［ボルト緩み止め構造］がある。この公開特許はボルトを締めた状態で不必要な追加の締めや緩めなしで最適の回転力を付与するように構成したボルト緩み止め構造に関するもので、ボルトが緩まないように頭部を固定するので緩み止め性能が向上し、ストップキャップの組立て位置を簡便に変更して使用することができるように一端部に頭部が形成されるボルトと、ボルトの頭部の一側に突設される外向突起と、ボルトの頭部の周りに設けられる組立凹部と、組立凹部に組み立てられることによってボルトの頭部の周りを取り囲んで覆うように挿入凹部が形成され、挿入凹部の内面には外向突起の回転を防止するための内向突起が円周方向に一定間隔で奇数個設けられるストップキャップとを含んでなるボルト緩み止め構造を開示している。
【０００６】
しかし、これら３種のボルト及びナットの緩み止め構造を開示する文献を含めた従来技術は、いずれもボルトとナットをさらに結束するか張力を付与する方式で緩み止め構造を具現したもので、Ｕカットのようなサイドカットなどの方式で形成された空回り防止フラット部を有するボルトとナットの緩み止め及び補強構造とは無関係な技術である。
【先行技術文献】
【特許文献】
【０００７】
【特許文献１】韓国特許公開第１０−２０１５−００８９６２３号公報
【特許文献２】韓国特許公開第１０−２０１５−０１３５９９０号公報
【特許文献３】韓国実用新案公開第２０−２０１４−０００６２０８号公報
【特許文献４】韓国特許公開第１０−２０１５−０１１５４１１号公報
【発明の概要】
【発明が解決しようとする課題】
【０００８】
したがって、本発明は、ハンドルアームの空回り防止結合のためにＵ形カットのようなサイドカットなどの方式で形成された空回り防止フラット部を端部に有する既存のハンドルシャフトの場合、ハンドルナットを締結して固定してもハンドルシャフトのフラット部とハンドルナットの間の遊び隙間によって、釣り糸の巻取りなどの状況でハンドルアームに負荷が加わる場合にハンドルナットが緩むかハンドルシャフトが破損される問題が発生することを解決するものであり、ハンドルシャフトの第１フラット部に配設され、端部の第１雄ネジ部と相補する補助雄ネジ部を有する緩み止め用プラグを導入した緩み止め型補強ハンドルを備えた釣り用リールを提供することを目的とする。
【０００９】  また、本発明は、ハンドルシャフトのフラット部が端部の両側に対称状に形成されて横断面形状がアルファベット「Ｕ」形のカット形状を有する場合、プラグは、補助雄ネジ部がそれぞれ形成された両側ピラー部と、前記ピラー部を連結するブリッジとを含んでなり、遊び隙間（ｇａｐ）の埋立てによる完全な搖れ防止及び緩み止めの機能及び組立ての便宜性まで有する緩み止め型補強ハンドルを備えた釣り用リールを提供することを他の目的とする。【００１０】
また、本発明は、プラグとハンドルシャフトの間に定位置結合手段、特に雌雄結合部材でなる定位置結合手段を提供することで、組立て及び維持保守のための分解及び再組立の便利性を確保した緩み止め型補強ハンドルを備えた釣り用リールを提供することをさらに他の目的とする。
【課題を解決するための手段】
【００１１】  上記の目的を達成するために、本発明による緩み止め型補強ハンドルを備えた釣り用リールは、  フレーム；  前記フレームに軸設されたスプール；  前記スプールの回転のためにフレームの一側に軸設されたハンドルシャフトを有するハンドル；及び  スプールシャフトの回転速度を調節してキャスティング距離を調節するようにフレームの一側に配設されたテンションナット；を含んでなる釣り用リールであって、  前記ハンドルのハンドルシャフトは、端部に設けられた第１雄ネジ部、前記第１雄ネジ部と重畳するように形成された空回り防止第１フラット部、及び第１フラット部の下端部のストッパーを有し、前記ハンドルは、  第１フラット部によって空回り防止用非円形構造を有する第１雄ネジ部に嵌め合わせられてストッパーに装着される結合孔を有するハンドルアームと、  前記ハンドルアームの端部に設けられたハンドルノブと、  前記ハンドルシャフトの第１フラット部に配設され、第１雄ネジ部と相補する補助雄ネジ部を有する緩み止め用プラグと、  第１雄ネジ部と補助雄ネジ部が成す組立雄ネジ部に結合され、ストッパーにかかったハンドルアームを固定するハンドルナットとをさらに含んで緩み止め型補強ハンドルを構成することを特徴とする。【００１２】  また、本発明による緩み止め型補強ハンドルを備えた釣り用リールにおいて、  前記ハンドルシャフトの第１フラット部は、端部の両側に対称状に形成されて横断面がアルファベット「Ｕ」形のカット形状を有し、  前記プラグは、補助雄ネジ部がそれぞれ形成された両側ピラー部と、前記ピラー部を連結するブリッジとを含んでなり、  前記プラグと前記ハンドルシャフトの間には定位置結合手段が介在され、  前記定位置結合手段はハンドルシャフトの長手方向に形成された第１雌雄結合部材であるか、またはこの長手方向と交差する方向に形成された第２雌雄結合部材であることが好ましい。
【発明の効果】
【００１３】  本発明による緩み止め型補強ハンドルを備えた釣り用リールは、ハンドルシャフトの第１フラット部に配設され、端部の第１雄ネジ部と相補する補助雄ネジ部を有する緩み止め用プラグを導入した緩み止め型補強ハンドルを備えた釣り用リールを提供することにより、  ハンドルアームの空回り防止結合のためにＵ形カットのようなサイドカットなどの方式で形成された空回り防止フラット部を端部に有する既存のハンドルシャフトの場合、ハンドルナットを締結して固定してもハンドルシャフトのフラット部とハンドルナットの間の遊び隙間によって、釣り糸巻取りなどの状況でハンドルアームに負荷が加わる場合にハンドルナットが緩むかハンドルシャフトが破損される問題が発生することを解決し、また、ハンドルシャフトのフラット部が端部の両側に対称状に形成されて横断面がアルファベット「Ｕ」形のカット形状を有する場合、プラグは、補助雄ネジ部がそれぞれ形成された両側ピラー部と、前記ピラー部を連結するブリッジとを含んでなり、遊び隙間（ｇａｐ）の埋立てによる完全な搖れ防止及び緩み止めの機能及び組立ての便宜性まで提供することができ、  さらにプラグとハンドルシャフトの間に定位置結合手段、特に雌雄結合部材でなる定位置結合手段を提供することで、組立て及び維持保守のための分解及び再組立の便利性を確保することができる。
【図面の簡単な説明】
【００１４】
【図１】本発明による緩み止め型補強ハンドルが適用される釣り用リールを示す図である。
【図２】本発明による緩み止め型補強ハンドルが適用される釣り用リールを示す図である。
【図３】本発明による緩み止め型補強ハンドルの多様な具現例を示す図である。
【図４】本発明による緩み止め型補強ハンドルの多様な具現例を示す図である。
【図５】本発明による緩み止め型補強ハンドルの多様な具現例を示す図である。
【図６】本発明による緩み止め型補強ハンドルの多様な具現例を示す図である。
【図７】本発明による緩み止め型補強ハンドルの多様な具現例を示す図である。
【発明を実施するための形態】
【００１５】
以下、添付図面に基づいて本発明を詳細に説明する。
本発明は多様な変更を加えることができ、いろいろの形態を有することができる。これから、具現例（態様、ａｓｐｅｃｔ）又は実施例を本文に詳細に説明する。しかし、これは本発明を特定の開示形態に限定しようとするものではなく、本発明の思想及び技術範囲に含まれるすべての変更、均等物ないし代替物を含むものに理解しなければならない。
【００１６】
各図において同一の参照符号、特に十の桁及び一の桁、又は十の桁、一の桁及びアルファベットが同じな参照符号は同一又は類似の機能を有する部材を示し、特に言及がない場合、図面の各参照符号が指称する部材はこのような基準に準ずる部材に把握すれば良い。  また、各図において、構成要素は理解の便宜上大きさや厚さを誇張して大きく（又は厚く）あるいは小さく（又は薄く）表現するとか単純化して表現しているが、これによって本発明の保護範囲が制限されて解釈されてはいけない。
【００１７】
本明細書で使用した用語は、ただ特定の具現例（態様、ａｓｐｅｃｔ）又は実施例を説明するために使用されたもので、本発明を限定しようとする意図ではない。単数の表現は文脈上特に明記しない限り、複数の表現を含む。本出願において、「含む」又は「からなる」などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解されなければならない。
【００１８】
特に定義がない限り、技術的ないし科学的な用語を含み、ここで使われるすべての用語は本発明が属する技術分野で通常の知識を有する者によって一般的に理解されるものと同一の意味を持っている。一般的に使われる辞書に定義されているもののような用語は関連技術が文脈上有する意味と一致する意味を有するものに解釈されなければならず、本出願において明らかに定義しない限り、理想的なあるいは過度に形式的な意味に解釈されない。
【００１９】
本明細書において、公知の機能及び構成についての具体的な説明が本発明の要旨を不必要にあいまいにすることができると判断される場合、それについての説明は省略することができる。本明細書で記述する〜第１〜、〜第２〜などは互いに異なる構成要素を区分するためのものであるだけ、製造手順を限定するものではなく、発明の詳細な説明及び請求範囲でその名称が一致しないこともあり得る。
【００２０】
まず、図１及び図２に示したように、通常の釣り用リールＲは、フレームＦ、前記フレームに軸設されたスプールＳ、前記スプールの回転のためにフレームＦの一側に軸設されたハンドルＨ、及びスプールシャフトＨＳの回転速度を調節してキャスティング距離を調節するようにフレームの一側に配設されたテンションナットＮｔを含んでなる。その上、魚が釣り針を噛んで逃げる場合、釣り糸がスプールから解ける速度を調節して釣り糸を保護する「ドラッグパワー」調節用スタードラッグナットＮｄがスプールシャフトＨＳに備えられている。
【００２１】
釣り用リール、特にベイトリールＲの場合、図１及び図２の右側の破線ブロック及び図３及び図４から確認できるように、ハンドルＨは、ハンドルシャフトＨＳ、ハンドルアームｈａ、ハンドルノブ（ｋｎｏｂ）ｈｎ、及びハンドルナットＨＮを含んでなる。ハンドルシャフトＨＳはスプールＳと連動し、端部に第１雄ネジ部１１、該第１雄ネジ部１１と重畳するように形成された空回り防止第１フラット部１３、及び該１フラット部の下端部に形成されたストッパー１５を有する。前記ハンドルアームｈａは、第１フラット部１３によって空回り防止用非円形構造を有する第１雄ネジ部１１に嵌め合わせられてストッパー１５に装着される結合孔ｈｈ（図２参照）を有する。
【００２２】  ハンドルナットＨＮは第１雄ネジ部１１（この１雄ネジ部１１と一緒にプラグＨＰが導入するときに補助雄ネジ部２１が成す組立雄ネジ部ＡＢ）に結合されることにより、ストッパー１５にかかっているハンドルアームｈａを固定する。ハンドルノブｈｎはハンドルアームｈａの端部、特に両端部に備えられている。その外に、ハンドルシャフトＨＳは、係止段形態のストッパー１５の下部に第２雄ネジ部１７が設けられ、これに「ドラッグパワー」調節用スタードラッグナットＮｄが締結され、締め又は緩めの動作によってドラッグパワーを調節するようになり、第２雄ネジ部１７と重畳するように第２フラット部１９が設けられ、これにスタードラッグナットＮｄの動作を補助する多様なワッシャが結合されるように構成されている。ハンドルシャフトＨＳの第１及び第２フラット部１３、１９は、特に端部の両側に対称状に形成されて横断面がアルファベット「Ｕ」形のカット形状を有するが、その外に多様な非円形構造による空回り防止機能の具現が可能である。
【００２３】
図２の右側破線ブロック内に示したように、ハンドルシャフトＨＳの第１フラット部が重畳するように形成された第１雄ネジ部１１に対応の雌ネジ部Ｈｎを有するハンドルナットＨＮが締結されれば、第１フラット部１３によって、ハンドルシャフトの第１フラット部１３とハンドルナットＨＮの間に遊び隙間ｇが不可避に発生する。よって、釣り糸巻取りなどの状況でハンドルアームｈａに負荷が加わる場合、この遊び隙間ｇによって不可避に搖れが発生し、これによってハンドルナットＨＮが緩むかあるいはハンドルシャフトＨＳの応力集中部が繰り返し疲労の累積によって破損される問題が発生し得る。それで、本発明は、ハンドルシャフトＨＳの第１フラット部１３に配設され、端部に第１雄ネジ部１１及びハンドルナットＨＮの雌ネジ部Ｈｎに対応する補助雄ネジ部２１を有する緩み止め用プラグＨＰを導入して緩み止め型補強ハンドルＨを具現する方案を着眼した。
【００２４】  特に、本発明の核心を成すプラグＨＰは、横断面形状がアルファベット「Ｕ」形のカット形状を有する第１フラット部１３の形状に合うように補助雄ネジ部２１がそれぞれ形成された両側ピラー部２３、及び該ピラー部を連結するブリッジ２５を含んでなることで、より完全にハンドルシャフトＨＳの第１フラット部１３とハンドルナットＨＮの間の遊び隙間ｇを埋め、第１雄ネジ部１１と補助雄ネジ部２１が合わせられて、ハンドルナットＨＮの雌ネジ部Ｈｎに締結される一つの組立雄ネジ部ＡＢ（図４参照）をなすように構成されている。
【００２５】
このような本発明のプラグ導入による遊び隙間（ｇａｐ）の埋立てによる完全な搖れ防止及び緩み止めの機能及び組立ての便宜性まで提供する構造は、図３の左側分解正面図及び右側分解斜視図、及び図４の結合断面図から確認することができる。本発明による緩み止め用プラグを導入した緩み止め型補強ハンドルＨは、ベイトリールより力は弱いが、ルアーの遠投に適し、軽量のルアーを所望のポイントに正確に送ることができるという利点を有するスピニンリールにも変形して適用可能である。その上、本発明によるハンドルＨ及びリールＲは、前記プラグと前記ハンドルシャフトの間に定位置結合手段を導入して組立て及び維持保守ための分解及び再組立の便利性をさらに確保することができる。
【００２６】
具体的に、この定位置結合手段は図５及び図６に示したようにハンドルシャフトの長手方向に形成された第１雌雄結合部材Ｊ１、Ｊ１ｍ、ｊ１、ｊ１ｍ、又は図７に示したようにハンドルシャフトの長手方向と交差する方向に形成された第２雌雄結合部材Ｊ２、Ｊ２ｍであってもよい。
【００２７】
図５の左側に示した第１雌雄結合部材Ｊ１はハンドルシャフトＨＳの上端に突設された雄部材３１Ａ、及びプラグＨＰのブリッジ２５に形成された通孔形の雌部材３１Ｂからなるもので、ブリッジが雌部材を介して雄部材に嵌め合わせられた後、ハンドルナットＨＮが組立雄ネジ部に締結されるようになっている。
【００２８】
これに対し、図５の右側に示した第１雌雄結合部材Ｊ１ｍはハンドルシャフトＨＳの上端に形成された孔形の雌部材３１ｂ、及びプラグＨＰのブリッジ２５の下面に突設された雄部材３１ａでなるもので、ブリッジの雄部材がハンドルシャフトの雌部材に嵌め合わせられた後、ハンドルナットＨＮが組立雄ネジ部に締結されるようになっている。
【００２９】
また、図６の左側に示した変形型の第１雌雄結合部材ｊ１は、別個の独立した結合ピン３３Ａ、フランジを基準としてこの結合ピン３３Ａの下端が挿入されハンドルシャフトＨＳの上端に形成された孔形の雌部材３３Ｃ、及び結合ピン３３Ａの上端が挿入され、プラグＨＰのブリッジ２５に形成された通孔形の雌部材３３Ｂからなるもので、ハンドルナットＨＮの雌ネジ部Ｈｎが組立雄ネジ部に締結される。
【００３０】
次に、図６の右側に示した他の変形型の第１雌雄結合部材ｊ１ｍは別個の独立した結合ボルト３３ａを含み、この結合ボルト３３ａがプラグＨＰのブリッジ２５に形成された通孔形の雌部材３３ｂを貫通した後、ハンドルシャフトＨＳの上端に形成されたネジ孔形の雌部材３３ｃに締結されて組み立てられ、次いでハンドルナットＨＮの雌ネジ部Ｈｎが組立雄ネジ部に締結される構成を有する。
【００３１】
一方、第２雌雄結合部材を説明すると、図７の左側に示した第２雌雄結合部材Ｊ２は、ハンドルシャフトＨＳの上端部位の第１フラット部１３に形成された結合レール溝形態の雌部材３５Ｂ、プラグＨＰのブリッジ２５の両側に下向きに突設されたピラー部２３の内側に突設されたレール突起形態の雄部材３５Ａからなるもので、雌雄部材３５Ｂ、３５Ａのスライド結合によってプラグがハンドルシャフトに組み立てられた後、ハンドルナットＨＮが組立雄ネジ部に締結されるようになっている。
【００３２】
これに対し、図７の右側に示した変形型の第２雌雄結合部材Ｊ２ｍは、ハンドルシャフトＨＳの上端部位の第１フラット部１３及び第１雄ネジ部１１に形成された離隔ストッパーによって形成される開放空間形態の雌部材３５ｂ、及びプラグＨＰの両ピラー部２３を連結するブリッジ２５が機能する雄部材３５ａからなるもので、雄部材３５ａが雌部材３５ｂにスライド結合された後、ストッパーに連結された側壁にかかって停止され、ついでハンドルナットＨＮが組立雄ネジ部に締結されるようになっている。
【００３３】
以上の説明で、通常の釣り用リールの構造、ハンドルの動作などに関連した通常の公知技術は省略したが、当業者であれば容易にこれを推測及び推論して再現することができる。また、以上のような本発明の説明において、添付図面に基づいて特定の形状及び構造を有するハンドル及び釣り用リールを主に説明したが、本発明は当業者によって多様な修正、変形及び置換が可能であり、このような修正、変形及び置換は本発明の保護範囲に属するものに解釈されなければならない。
【産業上の利用可能性】
【００３４】
本発明は、釣り糸巻取りなどの状況でハンドルアームに負荷が加わる場合にハンドルナットが緩むかハンドルシャフトが破損されることを解決するために、ハンドルシャフトの第１フラット部に配設され、端部の第１雄ネジ部と相補する補助雄ネジ部を有する緩み止め用プラグを導入した緩み止め型補強ハンドルを備えた釣り用リールに適用可能である。
【符号の説明】
【００３５】
Ｒ    釣り用リール
Ｆ    フレーム
Ｎｄ    スタードラッグナット
Ｎｔ    テンションナット
Ｓ    スプール
Ｈ    ハンドル
ＨＳ    ハンドルシャフト
ｈａ    ハンドルアーム
ｈｎ    ハンドルノブ
ＨＮ    ハンドルナット
ＨＰ    プラグ
【図１】
0006378791.tif 000002
【図２】
0006378791.tif 000003
【図３】
0006378791.tif 000004
【図４】
0006378791.tif 000005
【図５】
0006378791.tif 000006
【図６】
0006378791.tif 000007
【図７】
0006378791.tif 000008